(57)【要約】【課題】トリガイベントの発生時にクライアント装置に販売促進コンテンツを自動的に再生させるトリガ命令と共に音声−映像形式で販売促進コンテンツを提供する技術を提供する。【解決手段】販売促進コンテンツは、コンテンツが再生される時を定めるトリガイベントと共に「インターネット」からダウンロードされる。トリガイベントは、時刻、利用イベント又はパターン、気象イベント、又は地理的位置への到着とすることができる。【選択図】図１
2010092489.tif 000002
【特許請求の範囲】
【請求項１】
販売促進コンテンツを、少なくとも１つのトリガイベントの発生時に該販売促進コンテンツを再生する命令と共に受信するように構成され、
前記トリガイベントをモニタするように構成され、かつ
前記トリガイベントの発生時に前記販売促進コンテンツを再生するように構成される、
ことを特徴とする装置。
【請求項２】
前記トリガイベントは、時刻であることを特徴とする請求項１に記載の装置。
【請求項３】
前記トリガイベントは、利用イベントであることを特徴とする請求項１に記載の装置。
【請求項４】
前記トリガイベントは、利用パターンであることを特徴とする請求項１に記載の装置。
【請求項５】
前記トリガイベントは、気象イベントであることを特徴とする請求項１に記載の装置。
【請求項６】
前記トリガイベントは、地理的位置への到着であることを特徴とする請求項１に記載の装置。
【請求項７】
少なくとも１つの音声−映像広告を受信し、
前記広告と共に少なくとも１つのトリガイベントを受信し、
前記トリガイベントの発生をモニタし、かつ
前記トリガイベントの前記発生を感知することに応答して前記広告を再生する、
ためにプロセッサによって読取可能な有形コンピュータ記憶媒体。
【請求項８】
前記トリガイベントは、時刻であることを特徴とする請求項７に記載の媒体。
【請求項９】
前記トリガイベントは、利用イベントであることを特徴とする請求項７に記載の媒体。
【請求項１０】
前記トリガイベントは、利用パターンであることを特徴とする請求項７に記載の媒体。
【請求項１１】
前記トリガイベントは、気象イベントであることを特徴とする請求項７に記載の媒体。
【請求項１２】
前記トリガイベントは、地理的位置への到着であることを特徴とする請求項７に記載の媒体。
【請求項１３】
映像記憶装置上に少なくとも１つの音声−映像広告を受信する段階と、
前記装置上に少なくとも１つの娯楽番組を受信する段階と、
再生中の前記娯楽番組からの所定の場面コンテンツに応答して前記広告を再生する段階と、
を含むことを特徴とする方法。
【請求項１４】
前記装置は、ビデオディスクであることを特徴とする請求項１３に記載の方法。
【発明の詳細な説明】
【技術分野】
【０００１】
本発明は、一般的に、トリガイベントの発生時にクライアント装置に販売促進コンテンツを自動的に再生させるトリガ命令と共に音声−映像形式で販売促進コンテンツを提供することに関する。
【背景技術】
【０００２】
広告のような販売促進コンテンツは、「インターネット」上でクライアント装置にダウンロードすることができる。本明細書で理解されるように、広告が再生されるのが望ましい時にダウンロードすることは、ネットワークの混み具合によって問題になる場合がある。あるいは、クライアント装置は、オフラインであって、コンテンツを受信して再生するのに利用可能でない場合がある。
【発明の概要】
【課題を解決するための手段】
【０００３】
モバイルコンピュータは、トリガイベントの発生時に販売促進コンテンツを再生する命令と共に販売促進コンテンツ受信するように構成される。コンピュータはまた、トリガイベントをモニタし、トリガイベントの発生時に販売促進コンテンツを再生するように構成される。
【０００４】
トリガイベントは、時刻、利用イベント又はパターン、気象イベント、又は地理的位置への到着とすることができる。
【０００５】
別の態様では、有形のコンピュータ記憶媒体は、音声−映像広告を受信し、かつその広告と共にトリガイベントを受信するためにプロセッサによって読取可能である。プロセッサは、トリガイベントの発生をモニタし、トリガイベントの発生の感知に応答して、広告を再生する。
【０００６】
別の態様では、方法は、映像記憶装置上に音声−映像広告を受信する段階と、同じくその装置上に娯楽プログラムを受信する段階を含む。広告は、再生中の娯楽プログラムからの所定の場面コンテンツに応答して再生される。
【０００７】
本発明の詳細は、その構造及び作動の両方に関して、同じ参照番号が同じ部分を意味する添付図面を参照して最も良く理解することができる。
【図面の簡単な説明】
【０００８】
【図１】本発明の原則による非限定的システムの概略図である。
【図２】本発明の原則による別の非限定的システムの概略図である。
【図３】１つ又はそれよりも多くのコンピュータ可読媒体に記憶されたコード要素を実行する１つ又はそれよりも多くのプロセッサが担うことができる非限定的論理の流れ図である。
【図４】代替論理の流れ図である。
【発明を実施するための形態】
【０００９】
最初に図１を参照すると、プロセッサ１２と、以下に限定されるものではないが、磁気又は光ディスクドライブ、ランダムアクセスメモリ又は読取専用メモリ又はフラッシュメモリのような半導体装置、可撤性スティック媒体、又は可撤性フロッピーディスクなどとすることができる有形デジタル記憶媒体１４とを含む全体的に１０で示す家庭用電化製品（ＣＥ）装置が示されている。媒体１４及びプロセッサ１２は、以下に限定されるものではないが、高解像度（ＨＤ）マトリクスディスプレイ又は標準解像度ＣＲＴディスプレイのようなディスプレイ１８と共に示すハウジング１６に格納することができる。プロセッサ１２は、ディスプレイ１８に、かつ１つ又はそれよりも多くのオーディオスピーカ２０に信号を出力することができ、かつキーパッド、キーボード、マウスなどの１つ又はそれよりも多くのような入力装置から入力を受信することができる。ＣＥ装置は、セル電話、カメラ、ラップトップコンピュータ、ゲームコンソール、デジタルテレビ、又は他のコンピュータ式の典型的な可搬型装置とすることができる。
【００１０】
図１に示すように、一部の実施形態では、ＣＥ装置１０はまた、地理的位置信号をプロセッサ１２に入力する全地球位置衛星（ＧＰＳ）受信機のような位置受信機２２を含むことができる。ＣＥ装置１０の一部の実施形態は、「インターネット」２６を通じて１つ又はそれよりも多くのコンテンツ／広告サーバ２８と通信してコンテンツ／広告をディスプレイ１８及び／又はスピーカ２０上に示すように構成された有線又は無線モデム又は送受信機のような通信インタフェース２４を更に含むことができる。すなわち、映画又はＴＶ番組のような娯楽コンテンツ、並びにウェブベースコンテンツを含むことができるコンテンツと広告とは、音声−映像とすることができる。
【００１１】
インタフェース２４は、以下に限定されるものではないが、ＷｉＦｉ送受信機、ＷＩＭＡＸ送受信機、又はグローバル・システム・フォー・モバイル・コミュニケーションズ（ＧＳＭ）送受信機、符号分割多重アクセス方式（ＣＤＭＡ）送受信機、又はその変形などのような電話送受信機とすることができる。インタフェース２４は、プロセッサ１２と通信する。あるいは、インタフェース２４は、Ｂｌｕｅｔｏｏｔｈ送受信機又は他の短距離インタフェースとすることができる。
【００１２】
図２は、プレーヤプロセッサ３４と有形コンピュータ記憶媒体３６とを含むプレーヤ３２に挿入かつそこから取り出すことができるビデオディスクのような映像記憶装置３０を含む代替システムを示している。ディスク３０上のコンテンツは、ディスクプレーヤ３２と通信するＴＶのような音声−映像装置３８上に再生することができる。ＡＶ装置３８は、コンピュータ可読記憶媒体４４にアクセスするＡＶプロセッサ４２によって制御されるビデオディスプレイ４０を含むことができる。ディスク３０は、１つ又はそれよりも多くの音声−映像広告、並びに１つ又はそれよりも多くの娯楽番組を担持することができる。
【００１３】
図３は、図１のシステムに関連して使用することができる論理を示し、図４は、図３のシステムに関連して使用することができる論理を示している。図３のブロック４６で開始して、広告のような販売促進コンテンツは、典型的にはネットワーク混雑が低い時にサーバ２８からＣＥ装置１６にダウンロードされる。同じくサーバ２８からダウンロードされるのは、１つ又はそれよりも多くのトリガイベントの発生時に販売促進コンテンツを再生する命令である。ブロック４８で示すように、トリガイベントは、時刻、利用イベント又はパターン、例えば、「インターネット」天気サーバ（サーバ２８によって実施することができる）から受信する情報によって示される気象イベント（例えば、テーマパーク広告にとって良好な状況を示す「一日中晴れ」、小売店広告にとって良好な状況を示す「雨の日」など）、又は自宅又は会社又は小売店のようなＧＰＳ受信機２２によって示される地理的位置への到着を含むことができる。
【００１４】
利用イベント又はパターンの例として、トリガイベントは、ＣＥプロセッサ１２により特定アプリケーションが開かれることによって示すことができる。他の利用イベントは、電源オン及び電源ダウンを含むことができる（広告が、電源が切られる前に電源ダウン処理中に再生される）。
【００１５】
利用パターンの例として、パターンは、広告の表示をトリガする機能シーケンスを１回又はそれよりも多くＣＥ装置１０上で起動することによって確立することができる。
【００１６】
以上のイベントは、組み合わせることができる。例えば、広告は、例えば、小売店位置にいる間に電源オン利用イベントが感知された時にのみ再生することができる。いずれにせよ、ＣＥ装置は、トリガイベントをモニタし、ブロック５０でトリガイベントの発生時に販売促進コンテンツを再生する。
【００１７】
図４は、販売促進コンテンツが図２のディスク３０上にロードされることを示している。販売促進コンテンツは、例えば、ディスク上の娯楽番組からの所定の場面コンテンツが再生中であるかに基づいてブロック５４で再生される。例えば、ソーダを飲んでいる登場人物を描く娯楽番組は、消費されている銘柄のソーダの広告によって短く割り込むことができる。あるいは、この広告は、ピクチャー・イン・ピクチャーウインドウに娯楽番組と同時に表示することができる。
【００１８】
特定の「トリガイベント時の販売促進コンテンツの再生」を本明細書に示して詳細に説明したが、本発明によって含まれる内容が特許請求の範囲によってのみ制限されることは理解されるものとする。
【符号の説明】
【００１９】
１０  家庭用電化製品（ＣＥ）装置
１２  プロセッサ
１４  有形デジタル記憶媒体
【図１】
2010092489.tif 000003
【図２】
2010092489.tif 000004
【図３】
2010092489.tif 000005
【図４】
2010092489.tif 000006
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
販売促進コンテンツを、少なくとも１つのトリガイベントの発生時に該販売促進コンテンツを再生する命令と共に受信する手段と、
前記トリガイベントをモニタする手段と、かつ
前記トリガイベントの発生時に前記販売促進コンテンツを再生する手段と、
を含むことを特徴とする装置。
【請求項２】
前記トリガイベントは、時刻であることを特徴とする請求項１に記載の装置。
【請求項３】
前記トリガイベントは、利用イベントであることを特徴とする請求項１に記載の装置。
【請求項４】
前記トリガイベントは、利用パターンであることを特徴とする請求項１に記載の装置。
【請求項５】
前記トリガイベントは、気象イベントであることを特徴とする請求項１に記載の装置。
【請求項６】
前記トリガイベントは、地理的位置への到着であることを特徴とする請求項１に記載の装置。
【請求項７】
少なくとも１つの音声−映像広告を受信する段階と、
前記広告と共に少なくとも１つのトリガイベントを受信する段階と、
前記トリガイベントの発生をモニタする段階と、かつ
前記トリガイベントの前記発生を感知することに応答して前記広告を再生する段階と、
をコンピュータに実行させるコンピュータプログラムを記憶したコンピュータ読取可能な記憶媒体。
【請求項８】
前記トリガイベントは、時刻であることを特徴とする請求項７に記載の媒体。
【請求項９】
前記トリガイベントは、利用イベントであることを特徴とする請求項７に記載の媒体。
【請求項１０】
前記トリガイベントは、利用パターンであることを特徴とする請求項７に記載の媒体。
【請求項１１】
前記トリガイベントは、気象イベントであることを特徴とする請求項７に記載の媒体。
【請求項１２】
前記トリガイベントは、地理的位置への到着であることを特徴とする請求項７に記載の媒体。
【請求項１３】
少なくとも１つの娯楽番組を担持する映像記憶装置上に少なくとも１つの音声−映像広告をロードする段階と、
コンピュータにより再生されている前記娯楽番組からの所定の場面コンテンツに応答して前記広告を再生する段階と、
を含むことを特徴とするコンピュータにより実行される方法。
【請求項１４】
前記装置は、ビデオディスクであることを特徴とする請求項１３に記載の方法。
【外国語明細書】
2010092489.tif 000007
2010092489.tif 000008
2010092489.tif 000009
2010092489.tif 000010
2010092489.tif 000011
2010092489.tif 000012
2010092489.tif 000013
2010092489.tif 000014
2010092489.tif 000015
2010092489.tif 000016